(57)【特許請求の範囲】
【請求項１】
頭部に接触する上部と、一対の肩ベルト挿通穴を有する中間部と、チャイルドシート本体に対して上下位置調整可能に取り付けられる下部と、から成り、該下部の裏面に横長溝を有するヘッドレストを支持するチャイルドシートにおいて、
チャイルドシート本体内に前記ヘッドレストを支持するヘッドレスト支持レールと、該ヘッドレスト支持レール内に軸支される軸と、該軸の前記ヘッドレスト下部側に固定される円板と、該軸の反ヘッドレスト下部側に固定される係止角体と、該円板の周上に配置されかつ前記横長溝内に嵌まり込むボスと、前記ヘッドレスト支持レールの反ヘッドレスト下部側に弾性的に固定される係止部材と、該係止部材に開けられ前記係止角体が嵌まり込んで弾性的に係止される貫通穴とを備えることを特徴とするチャイルドシート。
【請求項２】
前記ヘッドレストの左右に回転可能にヘッドサポートを取り付けたことを特徴とする請求項１記載のチャイルドシート。
【請求項３】
ヘッドレストの上下動に伴って前記ヘッドサポートの回動角度を変化させることを特徴とする請求項２記載のチャイルドシート。
【請求項４】
前記ヘッドサポートの回動角度の変化を角度調整手段が自動的に行なうことを特徴とする請求項３記載のチャイルドシート。
【請求項５】
前記角度調整手段が、ヘッドサポートに設けられた長手方向に凹溝または凸部を有するシャフト挿入口と、チャイルドシート本体に長手方向に設けられたシャフトと、該シャフトに設けられた長手方向に沿う螺旋状の凸部または凹溝との係合で実現されることを特徴とする請求項４記載のチャイルドシート。
【発明の詳細な説明】
【０００１】
【発明の属する技術分野】
本発明は、自動車のシート上に設置されるチャイルドシートに関するもので、特に、幼児の大きさに適応して肩ベルトおよびヘッドレストの高さを簡単に調節できるチャイルドシートに関するものである。
【０００２】
【従来の技術】
自動車に幼児を乗せる場合に、幼児の安全を図るためにチャイルドシートが使用される。例えば、チャイルドシートは、図１３および図１４に示したように、幼児を収容するために、シートバックＡとシートクッションＢとを一体にした主部５０と、該主部５０と一体に結合され、自動車の座席に着座させる基部５１とを備えている。
このシートクッションＢの前部中央には腹当て部材５２が設けられ、この腹当て部材５２にはバックル５５が固定されている。また、シートクッションＢには２本のベルト５４、５４の一端が固定され、他端側はシートバックＡの肩ベルト通し孔５３、５３を通って、シートバックＡの背面側に引き出されている。さらに、ベルト５４、５４には、タング５６、５６が設けられ、このタング５６、５６がバックル５５に着脱しうるように構成されている。
そして、ベルト５４は、シートバックＡの背面側で板状のベルト調整金具５７の一端に固定され、ベルト調整金具５７の他端にはリトラクタから引き出された長さ調整ベルト５８が固定されている。リトラクタは、シートバックＡの下部に内装され、長さ調整ベルト５８が引き出し口５９から引き出されている。
また、シートバックＡの上部には幼児の頭を固定するためのヘッドレスト６０が上下位置調整可能に取付けられている。そして、このヘッドレスト６０の両端にはヘッドサポート６０ａ、６０ａが固定され、幼児の頭部左右方向のぐらつきを防止している。
【０００３】
前記チャイルドシートを使用する場合は、図１４に示したように基部５１もしくは主部５０を直接車両シートベルト６１によって自動車の座席に固定し、主部５０のシートクッションＢに幼児を腰掛けさせる。この際、幼児の頭部はベルト５４、５４の間に位置し、ベルト５４、５４は肩を押さえるようにして腹当て部材５２に固定される。そして、腹当て部材５２は幼児の腹部から胸部を覆うようになり、両足が腹当て部材５２の両脇から前方に出される。
肩ベルト通し孔５３、５３は左右を対として複数対（図では３対）縦方向に設けられており、幼児の成長とともに、肩ベルト通し孔５３の使用位置を上の方へ移して最適に肩を押さえるようにしている。
【０００４】
【発明が解決しようとする課題】
上記の通り、従来のチャイルドシートにおいては、チャイルドシート本体の上部背面に複数段の肩ベルト挿通穴を設け、幼児の体格に応じて肩ベルト挿通穴の上下位置を選択して肩ベルトを通すものであったため、肩ベルトの高さ調節作業が煩わしいばかりか、それも段階的（図では３段階）な調整しかできず、幼児の大きさに合った最適の装着は不可能であった。
また、ヘッドレスト自体を上下動させることはできても、ヘッドサポートはこのヘッドレストに固定された状態にあるため、頭部の幅の小さい乳幼児にはフィットせず、頭部を両ヘッドサポートとヘッドレストの３点で安定させて保持することはできなかった。
さらに、腹当て部材５２とシートバックＡとの間隔は調整することができなかった。したがって、比較的小さな幼児では、腹当て部材が幼児の腹と胸に均等に当たらず安定性が悪くなり、大きな幼児には腹当て部材が幼児の腹を圧迫して窮屈ということが起こった。
本発明は前記問題点に鑑みてなされたものであり、その目的は、肩ベルト挿通位置を選択し直す必要のない、さらに、ヘッドレストを無段階的に調節することを可能とし、さらにヘッドサポートの回動角度調節を同時に可能とし、腹当て部材５２の間隔調整の可能なチャイルドシートを提供することにある。
【０００５】
【課題を解決するための手段】
上記の問題を解決するため、請求項１記載のヘッドレストの発明は、頭部に接触する上部と、一対の肩ベルト挿通穴を有する中間部と、チャイルドシート本体に対して上下位置調整可能に取り付けられる下部と、から成り、該下部の裏面に横長溝を有するヘッドレストを支持するチャイルドシートにおいて、チャイルドシート本体内に前記ヘッドレストを支持するヘッドレスト支持レールと、該ヘッドレスト支持レール内に軸支される軸と、該軸の前記ヘッドレスト下部側に固定される円板と、該軸の反ヘッドレスト下部側に固定される係止角体と、該円板の周上に配置されかつ前記横長溝内に嵌まり込むボスと、前記ヘッドレスト支持レールの反ヘッドレスト下部側に弾性的に固定される係止部材と、該係止部材に開けられ前記係止角体が嵌まり込んで弾性的に係止される貫通穴とを備えることを特徴としている。
【０００６】
以上のように構成することにより、ヘッドレストを簡単な手段でほぼ無段階に近い状態で上下方向への調整を行うことが可能となると共に、複数の肩ベルト挿通穴を選択して肩ベルトを通す煩わしさが解消できる。
【０００７】
また、請求項２記載の発明は、前記ヘッドレストの左右に回転可能にヘッドサポートを取り付けたことを特徴としている。
また、請求項３記載の発明は、ヘッドレストの上下動に伴って前記ヘッドサポートの回動角度を変化させることを特徴としている。
【０００８】
また、請求項４記載の発明は、前記ヘッドサポートの回動角度の変化を角度調整手段が自動的に行なうことを特徴としている。
また、請求項５記載の発明は、前記角度調整手段が、ヘッドサポートに設けられた長手方向に凹溝または凸部を有するシャフト挿入口と、チャイルドシート本体に長手方向に設けられたシャフトと、該シャフトに設けられた長手方向に沿う螺旋状の凸部または凹溝との係合で実現されることを特徴としている。
以上のように構成することにより、ヘッドレストを簡単な手段で無段階に上下方向への調整を行うことが可能であると共に、ヘッドレストの上下調整に伴ってヘッドサポートの回動角度も調整できるため、ヘッドサポートで側頭部を良好に安定させるとともに、乳児から幼児にわたって、長期間使用することができる。
【００１０】
以上のように構成することにより、ヘッドレストの上下調整に伴って股ベルトのシートバックとの間隔も自動的に調整できるため、幼児にとって快適・安全であり、取扱いが便利である。
【００１１】
【発明の実施の形態】
次に、図１から図４によって本発明の第１の実施の形態を説明する。
図１は本発明の第１実施の形態によるチャイルドシートの概念説明図である。
図１（ａ）はチヤイルドシートの前面斜視図であり、
図１（ｂ）はヘッドレストの前面斜視図、
図１（ｃ）は図１（ｂ）のヘッドレストの裏面側に配置されるヘッドレスト支持レールの斜視図、
図１（ｄ）は図（ｂ）のヘッドレストの裏面斜視図である。
本発明によるチヤイルドシート１は、基部２上に固定されたチャイルドシート本体３の上部中央にヘッドレスト４が設けられ、このヘッドレスト４は使用する幼児の大きさに応じて上下方向に移動でき、任意の上下位置で固定保持できるものである。
このヘッドレスト４は、頭部が接触する上部と、一対の肩ベルト挿通穴５を有する中間部と、チャイルドシート本体に対して上下位置調整可能に取り付けられる下部と、から成るものである。したがって、ヘッドレスト４の上下に伴い当然に肩ベルト挿通穴５の上下位置も移動するようになる。
ヘッドレスト４の下部裏面には、図１（ｄ）に示される様に、横長溝６が設けられており、この横長溝６に、図１（ｃ）に示すボス９が嵌まり込む。また、ボス９はヘッドレスト支持レール７に軸支持された回転体８に固定されている。
【００１２】
図２及び図３は、ヘッドレスト４、ヘッドレスト支持レール７、並びに回転体８の関係を示すもので、図２はヘッドレスト４の下限位置図、図３はヘッドレスト４の上限位置図である。
図２及び図３において、ヘッドレスト支持レール７は、チャイルドシート本体３内に固定されている。このヘッドレスト支持レール７は軸受け１０を介して回転体８を軸支持している。回転体８は、周辺近傍にボス９を固定した円板１１と、この円板１１と同心の軸１２と、この軸１２の右端に設けられた係止角体１３とで構成されている。
係止角体１３は三角形以上の多角形で良いが、多角形とすれば多点で接触するので強度が増し、安定となる。
又、円板１１は必ずしもこれでなくともよく、例えば短冊状の板を用いたクランクカム状にすることも可能である。
【００１３】
ヘッドレスト支持レール７には、図４において頭部の大きな支持ピン１４が立設されており、このヘッドレスト支持レール７と支持ピン１４との間に、板状の係止部材１５がその開口穴１５’に支持ピン１４を通すことによって配設され、係止部材１５と支持ピン１４との間に押圧コイルバネ１９が介在されて、係止部材１５を常時ヘッドレスト支持レール７側に押圧している。
【００１４】
また、係止部材１５には前記係止角体１３が嵌合できる程度の大きさの貫通穴１６が開けられていて、係止角体１３は常時この貫通穴１６に嵌合して係止されている。貫通穴１６は、例えば３０°毎に係止溝が花弁状に設けられたレンチ穴と同様な形状を成し、多角形の係止角体１３と組合わせた場合、１２段階の位置決めが可能になる。
【００１５】
さらに、係止部材１５には、係止部材１５に固定されたＬ型金具１８、１８間に取っ手１７が取り付けられており、この取っ手１７は引き易いようにチャイルドシート本体の背面に露出している。そこで、押圧コイルバネ１９の押圧力に抗してこの取っ手１７を手前（すなわち、チャイルドシートから離れる方向）に引くと、係止部材１５も手前に移動して、係止角体１３から係止部材１５が外れるようになる。
【００１６】
そこで、肩ベルト挿通穴５の位置を例えば上方に移動させたい場合は、まず、チャイルドシート本体の背面に露出している取っ手１７を手前に引いて係止部材１５を係止角体１３から外し、次に、ヘッドレスト４を上方に引き上げる。そうすると、ボス９が横長溝６の内壁によって押し上げられるため、回転体８が回転し、これと同軸の六角形の係止角体１３も回転する。ヘッドレスト４が所望の高さになったところで、引いていた取っ手１７を元に戻せば、係止部材１５が押圧コイルバネ１９の押圧力によってヘッドレスト支持レール７側に移動して、係止部材１５に開けられている多角の貫通穴１６に係止角体１３が嵌合し、これ以後は係止角体１３は回転を阻止されるので、ヘッドレスト４が固定される。
かくして、図３に示すように、ヘッドレスト４の位置は、点線で示す下限位置から実線で示す上限位置までの間で、調節できることとなる。
また、貫通穴１６は周方向に１２角状の小ピッチ角を有しているので、貫通穴１６と、例えば、六角形の係止角体１３の嵌合は簡単に行なわれる。
万一、嵌合しない時には、ヘッドレスト４を若干上下移動させれば、貫通穴１６と六角形の係止角体１３は嵌合するようになる。
【００１７】
次に、本発明の第２の実施の形態を図５〜図７に基づいて説明する。
図５は本発明のヘッドレストを備えたチャイルドシートの背面図、
図６は図５のＡ−Ａ断面図、
図７は図６のＢ−Ｂ断面図である。
本発明の第２の実施の形態によるヘッドレスト４も無段階の位置調整を簡単に、安価にかつ堅固に実現するものである。
図５に示されるように、ヘッドレスト本体４１と該ヘッドレスト本体４１に左右対称に設けられた一対のヘッドサポート４２、４２とから成り、該ヘッドレスト４１の下部にはハウジング４１１が設けられ、この中に上下調整手段７０が収納されている。
上下調整手段７０は２個のレバー７２とこの両レバー７２間に挿入された付勢部材７１とからなり、レバー７２は操作部７２１、係合部７２２、摩擦力係合部材７２３からなる断面略Ｌ字状の部材であり、例えばコイルバネのような付勢部材７１によって、互いに相反する方向へ付勢されている。
操作部７２１のＬ字状先端の係合部７２２は、ハウジング４１１に開けられているレバ−挿通孔４１２（図７参照）を通って、係合部７２２の先端のチャイルドシート本体８０と面する部分に設けられた摩擦力係合部材７２３で係合溝８１（後述）と接触してその強力な摩擦力で係合している。
また、操作部７２１はチャイルドシート本体８０の背面部に突出して外部から操作可能となっている。
【００１８】
一方、チャイルドシート本体８０には、前記ハウジング４１１に沿って該ハウジング４１１に対向する面に上下方向に係合溝８１が設けられ、この係合溝８１も高摩擦抵抗に形成されている。
以上の構成によって、係合部７２２は付勢部材７１の付勢によってハウジング４１１から突出して前記摩擦力係合部材７２３がチャイルドシート本体８０の係合溝８１にしっかりと固着するようになる。
【００１９】
次に、この上下調整手段７０を用いてチャイルドシート本体８０とヘッドレスト４１の上下方向への調整の仕方について述べる。
高さの調整を行う際は、指でレバー７２の操作部７２１を付勢部材７１の付勢方向に反する方向に押圧すると、それによって摩擦力係合部材７２３と係合溝８１の接触が解かれる。この押圧状態を保ったまま、ヘッドレスト４１を上下方向に所望の距離だけ移動させ、ヘッドレスト４１が所望の高さになったら、操作部７２１に加えていた押圧力を解除すると、付勢部材７１によって摩擦力係合部材７２３が係合溝８１に圧接し、その摩擦力で係止する。このようにしてヘッドレスト４１の高さ調整操作が完了する。
このように、第２の実施の形態も第１の実施の形態と同じく、ヘッドレスト４１の移動に伴ってこれと一体の肩ベルトも所望の距離だけ移動するので、従来のような肩ベルト挿通位置を選択し直す必要がなくなり、しかもヘッドレスト４１を無段階に調節することが可能となる。
【００２０】
次に、本発明の第３の実施の形態を図８〜図９に基づいて説明する。
図８はヘッドサポートとヘッドレストの接続関係を説明する図である。
図８（ａ）はヘッドサポート付きヘッドレストの正面図、
図８（ｂ）は図８（ａ）のＣ−Ｃ断面図、
図８（ｃ）は図８（ｂ）のシャフトの一部拡大図、
図９はヘッドサポートとヘッドレストの作動を説明する図である。
上述の第１および第２の実施の形態のように、ヘッドレスト４１を上下動させることに伴ってヘッドレスト４１の左右に取り付けられたヘッドサポート４２も上下動するが、本発明の第３の実施の形態の発明は、これと共に左右のヘッドサポート４２、４２の間隔も調節するものである。
【００２１】
図８（ａ）に示されるように、ヘッドレスト本体４１に左右対称に設けられた一対のヘッドサポート４２、４２の内部に、チャイルドシート本体８０から延設されるシャフト８２を受け入れる長孔８３があり、この長孔８３の途中に図８（ｂ）に見られるような、係合凹部４２１ａを備えたシャフト挿通部材４２１が設けられている。
一方、チャイルドシート本体８０の左右両端のヘッドサポート４２、４２の取り付け近傍には上下方向に延びるシャフト８２が固定されており、そのシャフト８２の表面には、図８（ｃ）に示すように、半径方向に凸部８２ａを有し、この凸部８２ａは螺旋状に上下に延びている。左右のシャフト８２に設けたこの凸部８２ａは互いに逆方向の螺旋状の凸部になっている。
このシャフト８２に、ヘッドサポート４２、４２のシャフト挿通部材４２１を嵌めてヘッドレスト４１を下方に移動することによってヘッドレスト４１はチャイルドシート本体８０に取り付けられる。
【００２２】
左右のヘッドサポート４２、４２の回転動作は、図９に示したようになる。
今、ヘッドレスト４１の高さを低くすれば、シャフト挿通部材４２１の係合凹部４２１ａがチャイルドシート本体８０のシャフト８２の凸部８２ａに沿っていくので、結果的に左右のヘッドサポート４２、４２は互いに中心方向へ向かって回動し、ヘッドサポート４２、４２の間の間隔は狭まることとなる。
このように、小さい幼児には頭の位置に合わせヘッドレスト４１を低くすると、自動的に両ヘッドサポート４２、４２は中心方向へ向かって回転するのでヘッドレスト４２、４２間Ｌ2 （Ｌ1 ＞Ｌ2 ）が狭くなり、幼児の小さい頭Ｈｓでもヘッドレストと両ヘッドサポートの３点で支持することとなる。
逆に、ヘッドレスト４１の高さを高くすれば、シャフト挿通部材４２１の係合凹部４２１ａがチャイルドシート本体８０のシャフト８２の凸部８２ａに沿っていくので、左右のヘッドサポート４２、４２は逆方向へ向かって回動し、ヘッドサポート４２、４２の間の間隔Ｌ1 （Ｌ1 ＞Ｌ2 ）は広がることとなる。
したがって、大きい幼児の場合、ヘッドレスト４１を高くすると、同様にヘッドサポート４２、４２の間隔Ｌ1 も上記の原理により開いて頭Ｈｌをヘッドレストと両ヘッドサポートの３点で支持することとなり、頭のぐらつきをおさえることができる。
【００２３】
次に、本発明の第４の実施の形態を図１０〜図１２に基づいて説明する。
第４の実施の形態は、肩ベルトの上下調節に合わせて、股ベルト（腹当て部材）の位置も上下調節させるようにするものである。すなわち、ヘッドレスト４１と腹当て部材５２とを連係機構１０３によって互いに連係させ、ヘッドレスト４１を低くなる方向へ移動したとき、腹当て部材５２をシートバックＡ方向へ連動させ、ヘッドレスト４１を高くなる方向へ移動したとき、腹当て部材５２をシートバックＡから離れる方向へ連動させるものである。
【００２４】
図１０は本発明の第４実施の形態に係るチャイルドシートの作動機構の要素を概念的に示した分解斜視図であり、
図１１はそのチャイルドシートの要素を組立た状態の斜視図であり、
図１２はそれらの各要素の動作を示した作動図である。
この実施の形態のチャイルドシートの連係機構１０３では、シートクッションＢの両側部に、その前後方向へ移動可能に配設された摺動部材としての摺動プレート１１０、１１０と、該摺動プレート１１０、１１０にそれぞれ添設され、シートクッションＢの両側部に固定されたガイド部材としてのガイドプレート１１１、１１１と、下端にロッド１１２を有するヘッドレスト４１と、下端にロッド１１３を有する腹当て部材５２と、摺動プレート１１０、１１０をそれぞれシートバックＡ方向へ付勢するスプリング１１４、１１４とによって構成されている。
【００２５】
上記摺動プレート１１０には、シートクッションＢの後方へ行くにしたがって下降する溝１１５が形成され、後端（シートバックＡ側）にカム機構１１６の一方を構成する傾斜面（カム面）１１６ａが形成されている。
また、上記ガイドプレート１１１にも、シートクッションＢの後方へ行くにしたがって下降する溝１１７が形成されており、該溝１１７は上記摺動プレート１１０の溝１１５に交差するような勾配を有している。
そして、図１１に示したように、摺動プレート１１０の溝１１５とガイドプレート１１１の溝１１７には、腹当て部材５２のロッド１１３が挿嵌され、摺動プレート１１０がスプリング１１４によって付勢され、ヘッドレスト４１のロッド１１２が摺動プレート１１０のカム面１１６ａに当接している。
【００２６】
このように構成されたチャイルドシートでは、ヘッドレスト４１が最上部に位置しているとき、図１２（ａ）に示したように、腹当て部材５２のロッド１１３が各溝１１５、１１７の一端に位置している。即ち、この状態では、腹当て部材５２はガイドプレート１１１の前端から距離Ｌ1 の位置にあり、ガイドプレート１１１の上面から高さＨ1 の位置にある。即ち腹当て部材５２はシートバックＡから最も遠い位置にあり、かつ最も高い位置にある。また、摺動プレート１１０のカム面１１６ａに当接しているヘッドレスト４１のロッド１１２はカム面１１６ａの最も高い位置（高さｈ1 ）にある。
【００２７】
この状態からヘッドレスト４１を押し下げる（高さｈ2 ）と、ロッド１１３が押し下げられ、該ロッド１１３によって摺動プレート１１０が図１２（ｂ）に示したように、左方へ押し出される。すると、溝１１５とガイドプレート１１１の溝１１７との交差する部位がシートバックＡ方向かつ下方へ移動する。それに伴って腹当て部材５２のロッド１１３が移動し、腹当て部材５２が移動（距離Ｌ2 、高さＨ2 ）する。
【００２８】
さらに、ヘッドレスト４１を押し下げる（高さｈ3 ）とロッド１１２によって摺動プレート１１０が図１２（ｃ）に示したように、左方へ押し出される。しかし、この間は摺動プレート１１０の溝１１５が該摺動プレート１１０の摺動方向と平行なためロッド１１３は動かず、したがって腹当て部材５２の位置は変わらない。即ち、この間はヘッドレスト４１が下降する（高さｈ3 ）のみである。
【００２９】
さらに、ヘッドレスト４１を押し下げる（高さｈ4 ）と、ロッド１１２によって摺動プレート１１０が図１２（ｄ）に示したように、左方へ押し出される。すると、溝１１５とガイドプレート１１１の溝１１７との交差する部位がさらにシートバックＡ方向かつ下方へ移動する。それに伴って腹当て部材５２のロッド１１３が移動し、腹当て部材５２が移動（距離Ｌ3 、高さＨ3 ）する。
なお、押し下げられたヘッドレスト４１を上方へ移動すると、摺動プレート１１０を押し込んでいた力が開放される。すると、摺動プレート１１０はスプリング１１４の付勢力によってシートバックＡ方向へ押し戻される。
このように、上記チャイルドシートではヘッドレスト４１と腹当て部材５２とを連係機構１０３によって互いに連係させているので、ヘッドレスト４１を低くなる方向へ移動したとき、腹当て部材５２をシートバックＡ方向へ連動させ、ヘッドレスト４１を高くなる方向へ移動したとき、腹当て部材５２をシートバックＡから離れる方向へ連動させることとなる。
【００３０】
【発明の効果】
以上の通り、第１実施の形態の発明によれば、ヘッドレストの中間部に一対の肩ベルト挿通穴を設けて、ここに肩ベルトを通したままヘッドレストをチャイルドシート本体に対して上下位置にほぼ無段階調整可能としたものであるので、肩ベルトを差し替えたりする必要が無くなり、肩ベルトの上下位置調整作業が簡単になる。
また、具体的には、ヘッドレストの下部に設けた横長溝に係合するボスを介して回転運動に変換して、回転体に設けた係止角体を係止部材で多段階係止するものであるので、ヘッドレストの上下位置、即ち肩ベルト挿通穴の位置を簡単な構成で無段階的に調整可能となる。
【００３１】
また、第２実施の形態の発明によれば、ヘッドレスト４１を簡単な手段で無段階に上下方向への調整を行うことが可能であると共に、第１実施の形態の発明と同じく、肩ベルトを差し替えたりする必要が無くなり、肩ベルトの上下位置調整作業が簡単になる。
【００３２】
また、第３実施の形態の発明によれば、幼児の大きさに対応させてヘッドレストを上下動させると、それに連動してヘッドサポートも回転してその左右のヘッドサポートの間隔をその幼児の頭の大きさに対応して自動的に調整することができるようになる。
【００３３】
また、第４実施の形態の発明によれば、幼児の大きさに対応させてヘッドレストを上下動させると、それに連動して腹当て部材もシートバック方向へ移動して、腹当て部材とシートバックとの間の間隔を狭め、その間隔をその幼児の大きさに対応して調整することができる。
したがって、本発明によれば、ヘッドレストの高さを調整するだけで腹当て部材とシートバックとの間の間隔が自動的にその幼児の大きさに対応して調整されるので、幼児の腹部および胸部には腹当て部材が、特別な作業を必要とせずに常に均等に当接するようになる。
【図面の簡単な説明】
【図１】本発明によるチャイルドシートの概念図であり、（ａ）はヘッドレストの後部斜視図、（ｂ）はヘッドレストの前部斜視図、（ｃ）はヘッドレスト支持レールの前部斜視図、（ｄ）はチャイルドシートの前から見た斜視図である。
【図２】本発明によるチャイルドシートの、ヘッドレスト支持部の一部縦断説明図である。
【図３】本発明によるチャイルドシートの、ヘッドレストの上、下限位置を説明する一部縦断説明図である。
【図４】ヘッドレスト支持レールに弾性支持された係止部材の斜視図である。
【図５】本発明のヘッドレストを備えたチャイルドシートの背面図である。
【図６】図５のＡ−Ａ断面図である。
【図７】図６のＢ−Ｂ断面図である。
【図８】ヘッドサポートとヘッドレストの接続関係を説明する図で、図８（ａ）はヘッドサポート付きヘッドレストの正面図、図８（ｂ）は図８（ａ）のＣ−Ｃ断面図、図８（ｃ）は図８（ｂ）のシャフトの一部拡大図である。
【図９】ヘッドサポートとヘッドレストの作動を説明する図である。
【図１０】本発明の第４実施の形態に係るチャイルドシートの作動機構の要素を概念的に示した分解斜視図である。
【図１１】チャイルドシートの要素を組立た状態の斜視図である。
【図１２】各要素の動作を示した作動図である。
【図１３】従来のチャイルドシートの正面斜視図である。
【図１４】従来のチャイルドシートの背面斜視図である。
【符号の説明】
１  チヤイルドシート
３、８０  チャイルドシート本体
４  ヘッドレスト
５  肩ベルト挿通穴
６  横長溝
７  ヘッドレスト支持レール
８  回転体
９  ボス
１０  軸受け
１１  円板
１２  軸
１３  係止角体
１４  支持ピン
１５  係止部材
１６  貫通穴
１７  取っ手
１９  押圧コイルバネ
４１、６０  ヘッドレスト本体
４１１  ハウジング
４１２  レバ−挿通孔
４２、６０ａ  ヘッドサポート
４２１  シャフト挿入部
４２１ａ  係合凹部
５２  腹当て部材
５３  肩ベルト通し孔
５４  ベルト
５５  バックル
５６  タグ
７０  上下調整手段
７１  付勢部材（コイルバネ）
７２  レバー
７２１  操作部
７２２  係合部
７２３  摩擦力係合部材
８１  係合溝
８２  シャフト
８２ａ  係合凸部
１０３  チャイルドシートの連係機構
１１０  摺動プレート
１１１  ガイドプレート
１１２、１１３  ロッド
１１４、１１７  スプリング
１１５  溝
１１６ａ  傾斜面（カム面）
【図１】
0004255180.tif 000002
【図２】
0004255180.tif 000003
【図３】
0004255180.tif 000004
【図４】
0004255180.tif 000005
【図５】
0004255180.tif 000006
【図６】
0004255180.tif 000007
【図７】
0004255180.tif 000008
【図８】
0004255180.tif 000009
【図９】
0004255180.tif 000010
【図１０】
0004255180.tif 000011
【図１１】
0004255180.tif 000012
【図１２】
0004255180.tif 000013
【図１３】
0004255180.tif 000014
【図１４】
0004255180.tif 000015